(57)【特許請求の範囲】
【請求項１】
冷媒が循環する循環経路と、蒸発した冷媒を圧縮する圧縮機と、前記圧縮機にて圧縮された冷媒を凝縮させる凝縮器と、前記凝縮器にて凝縮された後の冷媒を膨張させる膨張弁と、前記膨張弁にて膨張された後の冷媒中の凝縮冷媒を蒸発させると共に、吸込空気と前記凝縮冷媒との熱交換により前記吸込空気を冷却する蒸発器と、前記蒸発器において冷却された冷却空気を加熱する加熱手段と、運転を制御する制御手段とを備え、
前記制御手段は、前記加熱手段から吹き出される吹出空気の温度に応じて、前記圧縮機の運転状態が各別に規定された複数の圧縮機運転モードのうちの何れかの圧縮機運転モードを選択し、選択した圧縮機運転モードで前記圧縮機を作動させる通常運転制御を実施し、及び、前記吹出空気の温度が設定吹出空気温度を含む温度範囲内にあるように前記加熱手段の作動を制御するように構成されている空調装置であって、
前記制御手段は、前記吹出空気の温度とは無関係に、前記複数の圧縮機運転モードのうちの一つの圧縮機運転モードを特別な圧縮機運転モードとして選択し、選択した前記特別な圧縮機運転モードで前記圧縮機を作動可能に構成されているとともに、
前記制御手段は、前記通常運転制御において、設定期間内に前記圧縮機運転モードが設定回数以上変更されたとき、前記設定期間内に選択されていた時間が最も長い圧縮機運転モードを前記特別な圧縮機運転モードとして選択し、前記特別な圧縮機運転モードで前記圧縮機を作動させるように構成されている空調装置。
【請求項２】
前記制御手段は、前記特別な圧縮機運転モードで前記圧縮機を所定期間運転した後の前記吹出空気の温度が、前記設定吹出空気温度を含む温度範囲内にあるとき、前記通常運転制御で前記圧縮機の運転制御を実施するように構成されている請求項１に記載の空調装置。
【請求項３】
前記制御手段は、前記特別な圧縮機運転モードで前記圧縮機を所定期間運転した後の前記吹出空気の温度が、前記設定吹出空気温度を含む温度範囲内よりも高い温度であるとき、前記吹出空気の温度を低下させるように前記複数の圧縮機運転モードのうちの一つの圧縮機運転モードを特別な圧縮機運転モードとして選択し、及び、前記設定吹出空気温度を含む温度範囲内よりも低い温度であるとき、前記吹出空気の温度を上昇させるように前記複数の圧縮機運転モードのうちの一つの圧縮機運転モードを特別な圧縮機運転モードとして選択し、選択した前記特別な圧縮機運転モードで前記圧縮機を作動させるように構成されている請求項１又は２に記載の空調装置。
【請求項４】
冷媒が循環する循環経路と、蒸発した冷媒を圧縮する圧縮機と、前記圧縮機にて圧縮された冷媒を凝縮させる凝縮器と、前記凝縮器にて凝縮された後の冷媒を膨張させる膨張弁と、前記膨張弁にて膨張された後の冷媒中の凝縮冷媒を蒸発させると共に、吸込空気と前記凝縮冷媒との熱交換により前記吸込空気を冷却する蒸発器と、前記蒸発器において冷却された冷却空気を加熱する加熱手段と、運転を制御する制御手段とを備え、
前記制御手段は、前記加熱手段から吹き出される吹出空気の温度に応じて、前記圧縮機の運転状態が各別に規定された複数の圧縮機運転モードのうちの何れかの圧縮機運転モードを選択し、選択した圧縮機運転モードで前記圧縮機を作動させる通常運転制御を実施し、及び、前記吹出空気の温度が設定吹出空気温度を含む温度範囲内にあるように前記加熱手段の作動を制御するように構成されている空調装置であって、
前記制御手段は、前記吹出空気の温度とは無関係に、前記複数の圧縮機運転モードのうちの一つの圧縮機運転モードを特別な圧縮機運転モードとして選択し、選択した前記特別な圧縮機運転モードで前記圧縮機を作動可能に構成されているとともに、
前記制御手段は、前記特別な圧縮機運転モードで前記圧縮機を所定期間運転した後の前記吹出空気の温度が、前記設定吹出空気温度を含む温度範囲内よりも高い温度であるとき、前記吹出空気の温度を低下させるように前記複数の圧縮機運転モードのうちの一つの圧縮機運転モードを特別な圧縮機運転モードとして選択し、及び、前記設定吹出空気温度を含む温度範囲内よりも低い温度であるとき、前記吹出空気の温度を上昇させるように前記複数の圧縮機運転モードのうちの一つの圧縮機運転モードを特別な圧縮機運転モードとして選択し、選択した前記特別な圧縮機運転モードで前記圧縮機を作動させるように構成されている空調装置。
【発明の詳細な説明】
【技術分野】
【０００１】
本発明は、直膨式の冷凍サイクルを利用した空調装置に関する。
【背景技術】
【０００２】
直膨式の冷凍サイクルを利用した空調装置として、蒸発した冷媒を圧縮する圧縮機と、圧縮機にて圧縮された冷媒を凝縮させる凝縮器と、凝縮器にて凝縮された後の冷媒を膨張させる膨張弁と、膨張弁にて膨張された後の冷媒中の凝縮冷媒を蒸発させると共に、吸込空気と凝縮冷媒との熱交換により吸込空気を冷却する蒸発器と、蒸発器において冷却された冷却空気を加熱する加熱手段と、運転を制御する制御手段とを備えたものがある（例えば、特許文献１を参照）。
【０００３】
特許文献１に記載の空調装置では、制御手段は、蒸発器において冷却されて排出される冷却空気の温度と、加熱手段において加熱されて排出される吹出空気の温度との両方を制御する。具体的には、制御手段は、冷却空気の制御目標温度（設定冷却空気温度）を、吹出空気の制御目標温度（設定吹出空気温度）よりも僅かに低く設定することで、加熱手段（例えば、電気ヒータ）での温度制御の精度を高めながら消費電力を抑えるようにしている。具体的には、特許文献１に記載の空調装置では、圧縮機の回転速度を制御して蒸発器への冷媒の流量を調節することで蒸発器の冷却能力を調節している。
また、外部の空気温度に応じて運転状態をステップ状に変化させる空調装置もある（例えば、特許文献２を参照）。
【０００４】
よって、特許文献１と特許文献２との組み合わせに基づく空調装置を想定すると、吹出空気の温度に応じて、圧縮機の運転モードを変化させて（即ち、圧縮機の運転状態をステップ状に変化させて）蒸発器の冷却能力を制御するような構成が考えられる。図２は、吹出空気の温度に応じて、圧縮機の運転状態（例えば、回転速度など）が各別に規定された複数の圧縮機運転モードのうちの何れかの圧縮機運転モードを選択し、選択した圧縮機運転モードで圧縮機を作動させる場合の、吹出空気の温度と、選択される圧縮機運転モード（Ａ，Ｂ，Ｃ，Ｄ，Ｅ）との関係を示す図である。例えば、図２において、吹出空気の温度が上昇して温度ａに到達すると、圧縮機運転モードがＡからＢに移行する。逆に、吹出空気の温度が温度ｂから温度ｇに低下すると、圧縮機運転モードはＣからＢに移行する。このように、吹出空気の温度に応じて圧縮機の運転状態が変化すると、蒸発器の冷却能力が変化する。つまり、制御手段は、蒸発器の冷却能力を吹出空気の温度に応じて適切に制御し、及び、加熱手段の作動を制御することで、吹出空気の温度が所定の制御目標温度となるような制御を行うことになる。
【０００５】
【特許文献１】特開２００４−３５３９１６号公報
【特許文献２】特開２００２−３６６２３３号公報
【発明の開示】
【発明が解決しようとする課題】
【０００６】
一般に、空調装置を用いて室内の空気を循環させている場合、上述のような空調装置において蒸発器の冷却能力が同じでも、室内の温度（即ち、蒸発器が吸い込む空気の温度）に応じて、蒸発器によって冷却され、及び、加熱手段で加熱された後の吹出空気の温度は変化する。例えば、蒸発器は、室内の温度（即ち、吸込空気の温度）が低ければ冷却空気の温度を充分に低下させることができるが、室内の実際の空気温度が高ければ冷却空気の温度を充分に低下させることができない。つまり、室内の実際の空気温度が高ければ吹出空気の温度を充分に低下させることができない。
【０００７】
図６は、空調装置の運転開始以後の吹出空気の温度の時間的変化を示すグラフである。時刻ｔ１において空調装置の運転を開始すると、吹出空気の温度は温度ｄ以上であるので、制御手段は、圧縮機運転モードをＥにして蒸発器の冷却能力を最大にする。ところが、空調装置の運転を開始した時点では、蒸発器に吸い込まれる室内の空気の温度は高いままであるので、蒸発器の冷却能力を最大にしても吹出空気の温度は充分に低下しない。その後、空調装置の運転をある程度の時間継続すると、蒸発器に吸い込まれる室内の空気の温度も低下してくるため、蒸発器の冷却能力が充分に発揮されはじめ、吹出空気の温度が必要以上に急激に低下する。そして、制御手段は、吹出空気の温度が急激に低下しはじめると、その吹出空気の温度変化に応じて圧縮機運転モードを切り換えて、蒸発器の冷却能力を低下させる。ところが、蒸発器の冷却能力を低下させると、吸込空気（室内の空気）の温度が少し上昇しただけで、吹出空気の温度が上昇しはじめる。
このように、空調装置の運転開始後、室内の空気の温度が安定するまでは、吹出空気の温度が繰り返し増減するのに応じて圧縮機運転モードを繰り返し変更し、それにより更に吹出空気の温度が繰り返し増減するという制御のハンチングが生じる。
【０００８】
本発明は、上記の課題に鑑みてなされたものであり、その目的は、運転開始時又は過大な負荷変動時の制御のハンチングを抑制可能な空調装置を提供する点にある。
【課題を解決するための手段】
【０００９】
上記目的を達成するための本発明に係る空調装置の特徴構成は、冷媒が循環する循環経路と、蒸発した冷媒を圧縮する圧縮機と、前記圧縮機にて圧縮された冷媒を凝縮させる凝縮器と、前記凝縮器にて凝縮された後の冷媒を膨張させる膨張弁と、前記膨張弁にて膨張された後の冷媒中の凝縮冷媒を蒸発させると共に、吸込空気と前記凝縮冷媒との熱交換により前記吸込空気を冷却する蒸発器と、前記蒸発器において冷却された冷却空気を加熱する加熱手段と、運転を制御する制御手段とを備え、
前記制御手段は、前記加熱手段から吹き出される吹出空気の温度に応じて、前記圧縮機の運転状態が各別に規定された複数の圧縮機運転モードのうちの何れかの圧縮機運転モードを選択し、選択した圧縮機運転モードで前記圧縮機を作動させる通常運転制御を実施し、及び、前記吹出空気の温度が設定吹出空気温度を含む温度範囲内にあるように前記加熱手段の作動を制御するように構成されている空調装置であって、
前記制御手段は、前記吹出空気の温度とは無関係に、前記複数の圧縮機運転モードのうちの一つの圧縮機運転モードを特別な圧縮機運転モードとして選択し、選択した前記特別な圧縮機運転モードで前記圧縮機を作動可能に構成されているとともに、
前記制御手段は、前記通常運転制御において、設定期間内に前記圧縮機運転モードが設定回数以上変更されたとき、前記設定期間内に選択されていた時間が最も長い圧縮機運転モードを、前記特別な圧縮機運転モードとして選択し、前記特別な圧縮機運転モードで前記圧縮機を作動させるように構成されている点にある。
【００１０】
上記特徴構成によれば、制御手段が、吹出空気の温度に応じて圧縮機運転モードを選択することで、蒸発器の冷却能力を吹出空気の温度に応じた適切なものにできる。また、制御手段が、吹出空気の温度とは無関係に特別な圧縮機運転モードを選択可能である。よって、従来のように吹出空気の温度が安定せずに制御のハンチングが発生しているときには、上記特別な圧縮機運転モードで圧縮機を作動させて制御のハンチングを防止し、吹出空気の温度を安定させることができる。
【００１２】
また、制御手段は、前記通常運転制御において、設定期間内に前記圧縮機運転モードが設定回数以上変更されたとき、制御のハンチングが発生していると判定できる。
【００１４】
さらに、上記設定期間内に吹出空気の温度に応じて選択されていた圧縮機運転モードのうち、最も選択されていた時間が長い圧縮機運転モードを特別な圧縮機運転モードとして選択すれば、吹出空気の温度が安定する可能性が高くなる。
【００１５】
本発明に係る空調装置の別の特徴構成は、前記制御手段は、前記特別な圧縮機運転モードで前記圧縮機を所定期間運転した後の前記吹出空気の温度が、前記設定吹出空気温度を含む温度範囲内にあるとき、前記通常運転制御で前記圧縮機の運転制御を実施するように構成されている点にある。
【００１６】
上記特徴構成によれば、一つの特別な圧縮機運転モードで圧縮機を所定期間運転したことで吹出空気の温度が設定吹出空気温度を含む温度範囲内で安定した後で上記通常運転制御を行うので、その通常運転制御で制御がハンチングしないようにできる。
【００１７】
本発明に係る空調装置の別の特徴構成は、前記制御手段は、前記特別な圧縮機運転モードで前記圧縮機を所定期間運転した後の前記吹出空気の温度が、前記設定吹出空気温度を含む温度範囲内よりも高い温度であるとき、前記吹出空気の温度を低下させるように前記複数の圧縮機運転モードのうちの一つの圧縮機運転モードを特別な圧縮機運転モードとして選択し、及び、前記設定吹出空気温度を含む温度範囲内よりも低い温度であるとき、前記吹出空気の温度を上昇させるように前記複数の圧縮機運転モードのうちの一つの圧縮機運転モードを特別な圧縮機運転モードとして選択し、選択した前記特別な圧縮機運転モードで前記圧縮機を作動させるように構成されている点にある。
【００１８】
上記特徴構成によれば、一つの特別な圧縮機運転モードで圧縮機を所定期間運転した後でも吹出空気の温度が設定吹出空気温度を含む温度範囲内とならない場合、吹出空気の温度を上昇又は低下させるように複数の圧縮機運転モードのうちの一つの圧縮機運転モードを特別な圧縮機運転モードとして選択し直し、その選択した特別な圧縮機運転モードで圧縮機を作動させる。その結果、選択し直した特別な圧縮機運転モードで圧縮機を所定期間運転することで、吹出空気の温度が設定吹出空気温度を含む温度範囲内に入るようにできる。
本発明に係る空調装置の別の特徴構成は、冷媒が循環する循環経路と、蒸発した冷媒を圧縮する圧縮機と、前記圧縮機にて圧縮された冷媒を凝縮させる凝縮器と、前記凝縮器にて凝縮された後の冷媒を膨張させる膨張弁と、前記膨張弁にて膨張された後の冷媒中の凝縮冷媒を蒸発させると共に、吸込空気と前記凝縮冷媒との熱交換により前記吸込空気を冷却する蒸発器と、前記蒸発器において冷却された冷却空気を加熱する加熱手段と、運転を制御する制御手段とを備え、
前記制御手段は、前記加熱手段から吹き出される吹出空気の温度に応じて、前記圧縮機の運転状態が各別に規定された複数の圧縮機運転モードのうちの何れかの圧縮機運転モードを選択し、選択した圧縮機運転モードで前記圧縮機を作動させる通常運転制御を実施し、及び、前記吹出空気の温度が設定吹出空気温度を含む温度範囲内にあるように前記加熱手段の作動を制御するように構成されている空調装置であって、
前記制御手段は、前記吹出空気の温度とは無関係に、前記複数の圧縮機運転モードのうちの一つの圧縮機運転モードを特別な圧縮機運転モードとして選択し、選択した前記特別な圧縮機運転モードで前記圧縮機を作動可能に構成されているとともに、
前記制御手段は、前記特別な圧縮機運転モードで前記圧縮機を所定期間運転した後の前記吹出空気の温度が、前記設定吹出空気温度を含む温度範囲内よりも高い温度であるとき、前記吹出空気の温度を低下させるように前記複数の圧縮機運転モードのうちの一つの圧縮機運転モードを特別な圧縮機運転モードとして選択し、及び、前記設定吹出空気温度を含む温度範囲内よりも低い温度であるとき、前記吹出空気の温度を上昇させるように前記複数の圧縮機運転モードのうちの一つの圧縮機運転モードを特別な圧縮機運転モードとして選択し、選択した前記特別な圧縮機運転モードで前記圧縮機を作動させるように構成されている点にある。
上記特徴構成によれば、制御手段が、吹出空気の温度に応じて圧縮機運転モードを選択することで、蒸発器の冷却能力を吹出空気の温度に応じた適切なものにできる。また、制御手段が、吹出空気の温度とは無関係に特別な圧縮機運転モードを選択可能である。よって、従来のように吹出空気の温度が安定せずに制御のハンチングが発生しているときには、上記特別な圧縮機運転モードで圧縮機を作動させて制御のハンチングを防止し、吹出空気の温度を安定させることができる。
また、一つの特別な圧縮機運転モードで圧縮機を所定期間運転した後でも吹出空気の温度が設定吹出空気温度を含む温度範囲内とならない場合、吹出空気の温度を上昇又は低下させるように複数の圧縮機運転モードのうちの一つの圧縮機運転モードを特別な圧縮機運転モードとして選択し直し、その選択した特別な圧縮機運転モードで圧縮機を作動させる。その結果、選択し直した特別な圧縮機運転モードで圧縮機を所定期間運転することで、吹出空気の温度が設定吹出空気温度を含む温度範囲内に入るようにできる。
【発明を実施するための最良の形態】
【００１９】
以下に図面を参照して本発明の空調装置の構成について説明する。
図１は、空調装置の構成を示す図である。図示するように、空調装置は、冷媒が循環する循環経路１を備える。空調装置は、循環経路１の途中において、蒸発した冷媒を圧縮する圧縮機２及び当該圧縮機２を駆動する電動機３と、圧縮機２にて圧縮された冷媒を凝縮させる凝縮器４と、凝縮器４にて凝縮された後の冷媒を膨張させる膨張弁５と、膨張弁５にて膨張された後の冷媒中の凝縮冷媒を蒸発させると共に、吸込空気と凝縮冷媒との熱交換により吸込空気を冷却する蒸発器６と、蒸発器６において冷却された冷却空気を加熱する電気式のヒータ７（加熱手段の一例）と、運転を制御する制御手段８とを備える。また、吸込空気を吸い込んで、蒸発器６及びヒータ７を経由した後で空調装置から排出するための空気の流れを作り出すファン１３を設けてある。凝縮器４にはファン１２を用いて外気が導入されている。
【００２０】
制御手段８は、蒸発器６において冷却されて排出される冷却空気の温度と、ヒータ７において加熱されて排出される吹出空気の温度との両方を制御する。具体的には、制御手段８は、冷却空気の温度が吹出空気の制御目標温度（以下、「設定吹出空気温度」と記載する）以下になるように、蒸発器６の冷却能力、即ち、蒸発器６を流通する冷媒量を調節する。このように、冷却空気の温度が設定吹出空気温度以下（好ましくは、僅かに低く）に制御されていれば、その冷却空気をヒータ７で加熱することで、実際の吹出空気の温度を設定吹出空気温度（又は、設定吹出空気温度を含む温度範囲内）にできる。制御手段８は、冷却空気の温度を上昇させるためには圧縮機２の回転速度を低下させて蒸発器６を流通する冷媒量を減少させ、冷却空気の温度を低下させるためには圧縮機２の回転速度を上昇させて蒸発器６を流通する冷媒量を増加させる。また、制御手段８は、吹出空気の温度を制御するために、温度センサ１５を用いて検出された吹出空気の実際の温度を参照して、電気式のヒータ７への通電量を調節する。
【００２１】
本実施形態において、圧縮機２の運転状態（即ち、電動機３の運転状態）は段階的に変化するように設定されている。例えば、圧縮機２の運転状態（回転速度）が各別に規定された複数の圧縮機運転モードが設定されている。そして、制御手段８は、吹出空気の温度に応じて、複数の圧縮機運転モードのうちのいずれかの圧縮機運転モードを選択し、選択した圧縮機運転モードで圧縮機２を作動させることで、冷却空気の温度が設定吹出空気温度以下となるように制御する通常運転制御を実施している。
【００２２】
図２は、吹出空気の温度と圧縮機運転モードとの関係を説明するグラフである。制御手段８は、吹出空気の温度が上昇傾向にあるとき、温度ａ以下では圧縮機運転モードＡを選択する。その後、制御手段８は、吹出空気の温度が温度ａになると、圧縮機運転モードＢを選択する。以後、制御手段８は、吹出空気の温度が温度ｂ、温度ｃ、温度ｄと上昇するにつれて、圧縮機運転モードＣ、圧縮機運転モードＤ、圧縮機運転モードＥと順に選択する。逆に、制御手段８は、吹出空気の温度が低下傾向にあるとき、吹出空気の温度が温度ｅ、温度ｆ、温度ｇ、温度ｈと低下するにつれて、圧縮機運転モードＤ、圧縮機運転モードＣ、圧縮機運転モードＢ、圧縮機運転モードＡと順に選択する。
【００２３】
図３は、空調装置の運転開始以後の吹出空気の温度の時間的変化を示すグラフである。図４は、空調装置の運転開始以後に選択される圧縮機運転モードの時間的変化を示すグラフである。
図３に示すように、時刻ｔ１において空調装置の運転を開始すると、吹出空気の温度は温度ｄ以上であるので、制御手段８は、圧縮機運転モードをＥにして蒸発器６の冷却能力を最大にする。ところが、空調装置の運転を開始した時点では、蒸発器６に吸い込まれる室内の空気の温度は高いままであるので、蒸発器６の冷却能力を最大にしても冷却空気の温度は充分に低下せず、結果として吹出空気の温度を適切に制御できない。その後、空調装置の運転をある程度の時間継続すると、蒸発器６に吸い込まれる室内の空気の温度も低下してくるため、蒸発器６の冷却能力が充分に発揮されはじめ、吹出空気の温度が急激に低下し、それに伴って吹出空気の温度も急激に低下してしまう。そして、制御手段８は、吹出空気の温度が急激に低下しはじめると、その吹出空気の温度変化に応じて圧縮機運転モードを切り換えて、蒸発器６の冷却能力を低下させる。ところが、蒸発器６の冷却能力を低下させると、吸込空気の温度が少し上昇しただけで、冷却空気の温度が上昇しはじめ、それに伴って吹出空気の温度も上昇しはじめる。
【００２４】
図４からも、時刻ｔ１以後に圧縮機運転モードが次々と変化していることが分かる。このように、空調装置の運転開始後、室内の空気の温度が安定するまでは、吹出空気の温度が繰り返し増減するのに応じて圧縮機運転モードを繰り返し変更し、それにより更に吹出空気の温度が繰り返し増減するという制御のハンチングが生じる。つまり、制御手段８は、吹出空気の温度に応じて圧縮機運転モードを選択する通常運転制御では、適切な圧縮機運転モードを選択できていないことになる。
【００２５】
そのため、本実施形態において制御手段８は、吹出空気の温度とは無関係に、複数の圧縮機運転モードのうちの一つの圧縮機運転モードを特別な圧縮機運転モードとして選択し、選択した特別な圧縮機運転モードで圧縮機２を作動させる。具体的には、制御手段８は、時刻ｔ１から時刻ｔ２までの設定期間内に圧縮機運転モードが設定回数以上変更されたとき、制御のハンチングが生じていると判定し、上述のように特別な圧縮機運転モードを選択する。図４に示した例では、制御手段８は、時刻ｔ１から時刻ｔ２までの設定期間内に圧縮機運転モードが設定回数以上変更されているので、時刻ｔ２において圧縮機運転モードＣを特別な圧縮機運転モードとして選択している。本実施形態において制御手段８は、設定期間内（時刻ｔ１から時刻ｔ２までの間）に選択されていた時間が最も長い圧縮機運転モードを、特別な圧縮機運転モードＣとして選択するように構成されている。
【００２６】
その後、制御手段８は、特別な圧縮機運転モードで圧縮機２を所定期間運転した後の吹出空気の温度が、設定吹出空気温度を含む温度範囲内にあるとき、上記通常運転制御で圧縮機２の運転制御を実施する。
一方で、制御手段８は、特別な圧縮機運転モードで圧縮機２を所定期間運転した後の吹出空気の温度が、設定吹出空気温度を含む温度範囲内よりも高い温度であるとき、吹出空気の温度を低下させるように複数の圧縮機運転モードのうちの一つの圧縮機運転モードを特別な圧縮機運転モードとして選択し、及び、設定吹出空気温度を含む温度範囲内よりも低い温度であるとき、吹出空気の温度を上昇させるように複数の圧縮機運転モードのうちの一つの圧縮機運転モードを特別な圧縮機運転モードとして選択し、選択した特別な圧縮機運転モードで圧縮機２を作動させる。
【００２７】
図５は、制御手段８が行う圧縮機２の運転制御のフローチャートである。
空調装置の運転が開始されると、工程１０において制御手段８は、温度センサ１５で測定される吹出空気の温度に応じて圧縮機運転モードを適宜変更し、その変更した圧縮機運転モードで圧縮機２の運転を行う（通常運転制御）。次に、工程２０において制御手段８は、設定期間内（本実施形態では時刻ｔ１から時刻ｔ２の間）に圧縮機運転モードを設定回数以上変更したか否かを判定する。制御手段８は、工程２０において設定期間内に圧縮機運転モードを設定回数以上変更していない（即ち、吹出空気の温度が安定していた）と判定した場合には、このフローチャートのエンドに移行して、再度工程１０から通常運転制御をスタートする。
【００２８】
一方で、制御手段８は、工程２０において設定期間内に圧縮機運転モードを設定回数以上変更していた（即ち、吹出空気の温度が安定していない）場合には、工程３０に移行して、吹出空気の温度とは無関係に、複数の圧縮機運転モードのうちの一つの圧縮機運転モードを特別な圧縮機運転モードとして選択し、選択した特別な圧縮機運転モードで圧縮機２を運転する。上述したように、本実施形態では、制御手段８は、設定期間内（時刻ｔ１から時刻ｔ２までの間）に選択されていた時間が最も長い圧縮機運転モードＣを、特別な圧縮機運転モードとして選択する。
【００２９】
次に、工程４０において制御手段８は、特別な圧縮機運転モードで圧縮機２を所定期間運転した後の吹出空気の温度が設定吹出空気温度を含む温度範囲内にあるか否かを判定する。制御手段８は、工程４０において吹出空気の温度が設定吹出空気温度を含む温度範囲内にあると判定すると、このフローチャートのエンドに移行して、再度工程１０から通常運転制御をスタートする。
【００３０】
一方で、制御手段８は、工程４０において吹出空気の温度が設定吹出空気温度を含む温度範囲内にないと判定すると、工程５０に移行する。工程５０において制御手段８は、吹出空気の温度が、設定吹出空気温度を含む温度範囲内よりも高い温度であるとき、吹出空気の温度を低下させるように複数の圧縮機運転モードのうちの一つの圧縮機運転モードを特別な圧縮機運転モードとして選択し、及び、設定吹出空気温度を含む温度範囲内よりも低い温度であるとき、吹出空気の温度を上昇させるように複数の圧縮機運転モードのうちの一つの圧縮機運転モードを特別な圧縮機運転モードとして選択し、選択した特別な圧縮機運転モードで圧縮機２を作動させる。
【００３１】
例えば、図３及び図４を参照すると、制御手段８は、時刻ｔ２において特別な圧縮機運転モードＣを選択して、その圧縮機運転モードＣで圧縮機２を所定期間（時刻ｔ２から時刻ｔ３の間）運転する（図５の工程３０）。次に、制御手段８は、時刻ｔ３において、吹出空気の温度が設定吹出空気温度を含む温度範囲内よりも低い温度であると判定し、吹出空気の温度を上昇させるように圧縮機運転モードＢを選択し、所定期間（時刻ｔ３から時刻ｔ４の間）運転する（図５の工程４０及び工程５０）。その結果、時刻ｔ４において吹出空気の温度が設定吹出空気温度を含む温度範囲内で安定する。
【００３２】
＜別実施形態＞
上記実施形態では、制御手段８が、設定期間内に選択されていた時間が最も長い圧縮機運転モードを特別な圧縮機運転モードとして選択する例を説明したが、他の圧縮機運転モードが特別な圧縮機運転モードとして選択されるように改変してもよい。例えば、制御手段８が、設定期間内に選択されていた複数の圧縮機運転モードのうち、中間の運転状態を規定する圧縮機運転モードを特別な圧縮機運転モードとして選択するように改変してもよい。例えば、圧縮機運転モードがＣからＥの間で繰り返し変更されていた場合、中間のＤの圧縮機運転モードが選択される。
【図面の簡単な説明】
【００３３】
【図１】空調装置の構成を示す図
【図２】吹出空気の温度と圧縮機運転モードとの関係を説明するグラフ
【図３】空調装置の運転開始以後の吹出空気の温度の時間的変化を示すグラフ
【図４】空調装置の運転開始以後に選択される圧縮機運転モードの時間的変化を示すグラフ
【図５】圧縮機の運転制御のフローチャート
【図６】従来の空調装置の運転開始以後の吹出空気の温度の時間的変化を示すグラフ
【符号の説明】
【００３４】
１  循環経路
２  圧縮機
４  凝縮器
５  膨張弁
６  蒸発器
７  ヒータ（加熱手段）
８  制御手段
【図１】
0005129625.tif 000002
【図２】
0005129625.tif 000003
【図３】
0005129625.tif 000004
【図４】
0005129625.tif 000005
【図５】
0005129625.tif 000006
【図６】
0005129625.tif 000007